(57)【要約】【課題】遠隔地や休講期間中で教員等との面接等ができない場合でも、採点済みの解答用紙を閲覧できる採点支援システムを提供する。【解決手段】ファイルホルダ２に予め作成された解答用紙に記入され得る必須情報及び解答情報に関する各種データが格納され、解答記入後の解答用紙がイメージスキャナ１４によってイメージとして読み取られ、ファイルホルダ２に格納された各データに基づいてイメージスキャナ１４で読み取った後の解答用紙が解答用紙作成支援サーバ若しくはパーソナルコンピュータ１３により採点され、採点処理後の解答用紙が認証用ＩＤと対応付けして画像データとしてファイルホルダ２に格納され、ファイルホルダ２とパーソナルコンピュータ２３とが電気通信回線を通じてネットワーク接続され、パーソナルコンピュータ２３では認証用ＩＤを入力することにより対応付けされた採点処理後の解答用紙が画像データとしてイメージ出力される。【選択図】      図１
2006106182.tif 000002
【特許請求の範囲】
【請求項１】
予め作成された解答用紙に記入され得る必須情報及び解答情報に関する位置データ・解答データ・採点データ・配点データを格納するファイルホルダと、解答記入後の解答用紙をイメージとして読み取るスキャナと、前記ファイルホルダに格納された各データに基づいて前記スキャナで読み取った後の解答用紙から採点を行う採点処理部と、採点処理後の解答用紙を認証用ＩＤと対応付けして画像データとして格納するファイルホルダとを備えると共に、前記ファイルホルダに電気通信回線を通じて端末機がネットワーク接続され、前記端末機から前記認証用ＩＤを入力することにより対応付けされた採点処理後の解答用紙が前記端末機に画像データとしてイメージ出力されることを特徴とする採点支援システム。
【請求項２】
前記ファイルホルダには正解付き解答用紙が画像データとして格納されており、前記端末機からの要求により正解付き解答用紙が画像データとしてイメージ出力されることを特徴とする請求項１に記載の採点支援システム。
【発明の詳細な説明】
【技術分野】
【０００１】
本発明は、採点支援システム、特に大学等の教育機関のように多人数を試験対象としたテスト問題に対する採点支援システムに関する。
【背景技術】
【０００２】
従来から、テスト問題を、出題者と解答者或いは添削者と解答者との間で電子メールやファクシミリを利用して行う採点システムが知られている（例えば、特許文献１、特許文献２参照）。
【０００３】
また、このような採点システムとして、解答用紙をマークシート方式とし、電子的に採点を行う採点システムも周知である。
【０００４】
しかしながら、上述した特許文献１，２に開示のように、電子メールやファクシミリを利用して行う採点システムにあっては、少人数を対象とし且つ出題者或いは採点者にとって解答者数に制限がある。
【０００５】
従って、多数の解答者を対象として同時期に一斉に行う学校等の教育機関で実施されるテストの場合、その解答用紙の数が多いことから、電子メールやファクシミリで解答用紙を送付することは作業が煩雑となって不向きであるうえ、その送付先を間違え易いという問題が生じていた。
【０００６】
また、マークシート方式の採点システムにあっては、多数の解答者の問題を電子的に処理することができるものの、回答が選択方式に制限されてしまうという問題が生じていた。
【０００７】
一方、比較的多数の解答用紙を添削するに際して、その設問毎の添削を容易とすると共に、その解答用紙の返却を可能とした技術も知られている（例えば、特許文献３参照）。
【０００８】
この特許文献３に開示の技術は、設問に対する答案が受験者によって記入された答案用紙を読み取る読み取り手段と、この読み取り手段によって読み取られた答案画像データ・答案用紙に対応付けされた設問番号，受験番号欄，解答欄等の位置情報・設問毎の正解，模範解答文や解答文中のキーワード・設問毎の採点基準や配点、その他のコメント等を記憶する記憶手段と、この記憶手段を複数の領域に分割して設問毎に互いに関連づけて管理すると共に答案の採点時に答案と正解と採点基準とが同一表示画面上に設問ごとに並列して同時に表示されるように表示制御する制御手段とを備えている。
【０００９】
これにより、解答後の答案用紙が答案画像として表示画面に表示されると同時に、その表示画面上に模範解答等が分割表示され、答案用紙の添削を容易としている。
【００１０】
この際、例えば、答案用紙中のマークシート方式等の解答欄では、記憶手段に記憶された正解のデータとの照合により自動的に正否判断される。
【００１１】
また、この答案用紙は表示画面上で添削され、その添削結果としての○△×マークが答案画像に重畳された状態でプリントアウトされる。
【特許文献１】特開２００３−６６８２１号公報
【特許文献２】特開平５−１９１５５４号公報
【特許文献３】特開平９−６８９１９号公報
【発明の開示】
【発明が解決しようとする課題】
【００１２】
ところで、上記の如く構成された特許文献３に開示の採点支援システムにあっては、添削後の解答はプリントアウトした状態で手渡し等によって返却されるだけなので、不正解の場合の模範解答等を知る術がなかった。
【００１３】
特に、上述した大学等では、解答者の人数が多く、しかも、記述式の問題が比較的多いことから、解答用紙に正解やコメントを記載するのは困難である。また、大学等で実施される定期試験の場合、試験期間の終了と同時に休講期間（所謂、夏休みなど）に入ってしまう。このため、答案用紙が返却されるまでに時間を要したり、場合によっては答案用紙が返却されず、休講期間中に復習等をしようとしても自身が間違えていた設問や技術内容を知ることができないといった問題が生じていた。
【００１４】
そこで、本発明は、上記事情を考慮し、遠隔地や休講期間中で担当教員等との面接等ができない場合であっても、採点済みの解答用紙を閲覧することができる採点支援システムを提供することを目的とする。
【課題を解決するための手段】
【００１５】
請求項１に記載の採点支援システムは、予め作成された解答用紙に記入され得る必須情報及び解答情報に関する位置データ・解答データ・採点データ・配点データを格納するファイルホルダと、解答記入後の解答用紙をイメージとして読み取るスキャナと、前記ファイルホルダに格納された各データに基づいて前記スキャナで読み取った後の解答用紙から採点を行う採点処理部と、採点処理後の解答用紙を認証用ＩＤと対応付けして画像データとして格納するファイルホルダとを備えると共に、前記ファイルホルダに電気通信回線を通じて端末機がネットワーク接続され、前記端末機から前記認証用ＩＤを入力することにより対応付けされた採点処理後の解答用紙が前記端末機に画像データとしてイメージ出力されることを特徴とする。
【００１６】
請求項１に記載の採点支援システムによれば、ネットワーク接続により端末機からファイルホルダに格納された採点処理後の解答用紙を画像データとしてイメージ出力することができる。
【００１７】
請求項２に記載の採点支援システムは、請求項１に記載の採点支援システムにおいて、前記ファイルホルダには正解付き解答用紙が画像データとして格納されており、前記端末機からの要求により正解付き解答用紙が画像データとしてイメージ出力されることを特徴とする。
【００１８】
請求項２に記載の採点支援システムによれば、ネットワーク接続により端末機からファイルホルダに格納された正解付きの解答用紙を画像データとしてイメージ出力することができる。
【発明の効果】
【００１９】
本発明によれば、遠隔地や休講期間中で担当教員等との面接等ができない場合であっても、採点済みの解答用紙を閲覧することができる。
【発明を実施するための最良の形態】
【００２０】
次に、本発明の一実施形態に係る採点支援システムについて、図面を参照して説明する。
＜システム構成＞
【００２１】
図１は、本発明の採点支援システムを示し、システムの一例のブロック図である。
【００２２】
図１に示すように、採点支援システム１は、採点者等が操作・処理する電子ファイリングシステム１０と、この電子ファイリングシステム１０に蓄積された電子ファイルデータを閲覧するＰＷＰシステム２０と、を備えている。
【００２３】
電子ファイリングシステム１０は、ＳＱＬサーバ１１、ＳＱＬデータベース１２、データ登録用のパーソナルコンピュータ１３、イメージスキャナ１４を備えている。
【００２４】
ＳＱＬサーバ１１は、複数のデータ登録用のパーソナルコンピュータ１３とイントラネット接続することが可能となっており、例えば、学校等における各教授・教師・講師といった複数の採点者からの入力データを電子ファイリングシステム１０とＰＷＰシステム２０とで共有するファイルホルダ２に格納・閲覧することができる。
【００２５】
ＳＱＬデータベース１２は、ファイルホルダ２に格納した格納位置情報が登録される。
【００２６】
パーソナルコンピュータ１３には、市販のワードプロセッサソフトや表計算ソフト、ＰＤＦファイリング作成・表示ソフト等がインストールされており、これら各ソフトで作成したデータやイメージスキャナ１４で読み取ったデータをＳＱＬサーバ１１を介してファイルホルダ２に格納することができる。また、パーソナルコンピュータ１３は、ファイルホルダ２に格納したデータの更新等を行うことができる。
【００２７】
イメージスキャナ１４は、専用機の他、複写機や印刷機といった機能を具備した複合機を含むものとする。また、イメージスキャナ１４は、パーソナルコンピュータ１３を複数台ネットワーク接続した場合には、これら各パーソナルコンピュータ１３と１対１で対応して設置する必要はない。
【００２８】
ＰＷＰシステム２０は、ウェブサーバ２１と、ネットワーク回線２２を介してウェブサーバ２１と接続することによりファイルホルダ２に格納されたデータの閲覧等を可能とするデータ閲覧用のパーソナルコンピュータ（端末機）２３とで構成される。
【００２９】
この際、ＰＷＰシステム２０は、ウェブブラウザからのリクエストに対してページの自動生成を行う。また、ウェブサーバ２１では、個人のプライベート保護と認証を行うため、ＨＴＴＰＳ等のプロトコルを使用した認証機能が使用されている。さらに、ファイル単位で閲覧許可者又はグループを設定し、画像データや電子ファイルはこの閲覧許可が出たユーザに対してのみウェブページを生成してパーソナルコンピュータ２３に表示させる。
【００３０】
パーソナルコンピュータ２３には、ウェブブラウザがインストールされており、ネットワーク回線２２への接続が可能なものであればデスクトップＰＣ、ノートブックＰＣ、タブレットＰＣ等の種類は問わない。また、パーソナルコンピュータ２３は、パーソナルコンピュータ１３と同様にイントラネット接続された学内設置の学生用パーソナルコンピュータであっても、学生個人が自宅等からインターネット接続するパーソナルコンピュータであっても、ネットカフェ等に設置されたインターネット接続可能な公共的なパーソナルコンピュータであってもかまわない。
【００３１】
以下、このような電子ファイリングシステム１０とＰＷＰシステム２０とを利用した解答用紙（問題用紙兼用解答用紙を含む）の作成例から採点後の解答者の閲覧に至る使用例を説明する。尚、図２に示すように、ここで作成される解答用紙３０は、解答者の個人識別用ＩＤ番号を記入するＩＤ番号記入欄３１、解答者自身の氏名を記入する氏名記入欄３２、複数の問題とその問題に対応する解答記入欄３３を備えていると共に、これら各欄３１，３２，３３にはその位置と種類とを識別するためのバーコード等の識別記号３４が設けられている。尚、ＩＤ番号記入欄３１と氏名記入欄３２に記入される情報は必須情報、解答記入欄３３に記入される情報は解答情報である。
【００３２】
解答用紙３０は、まず、図３（Ａ）に示すように、各欄３１，３２，３３が作成される。この際、各欄３１，３２，３３は、パーソナルコンピュータ１３により市販のワードプロセッサソフトや表計算ソフトによって作成され、図３（Ｂ）に示すデータベースとしては、各欄３１，３２，３３に対応した仮枠番号と枠座標とが格納される。
【００３３】
次に、図４（Ａ）に示すように、各欄３１，３２，３３毎に識別記号３４が作成されると共に、図４（Ｂ）に示すように、その識別記号３４と各欄３１，３２，３３の項目名とが対応付けられる。尚、識別記号３４は、シンクロ情報と符号化コードとから構成され、複合化によって項目名（参照コード）が復元される。この際、解答用紙３０をプリントアウトしたりそのプリントアウトしたものを複写機等で複写して各欄３１，３２，３３の枠の大きさや識別記号３４の大きさ等が変化したとしても、シンクロ情報により符号化コードを復元することができる。また、各欄３１，３２，３３と識別記号３４とは、例えば、パーソナルコンピュータ１３によって１枚の用紙にレイアウト作成したものをプリントアウトする場合のほか、各欄３１，３２，３３と識別記号３４とをシール化したものを白紙に貼り付けて作成したり、各欄３１，３２，３３及び識別記号３４をイメージ登録した専用の解答用紙作成支援ソフトにより作成するといったことも可能である。さらに、各欄３１，３２，３３の枠の色や識別記号３４の色を別々とすることによって各欄３１，３２，３３の識別や各欄３１，３２，３３と識別記号３４との識別を可能とすることもできる。また、ＩＤ番号記入欄３１には、予めユニークに設定されたＩＤ番号を予め付与（手動・自動を問わない）してもよいし、学籍番号等といった重複しない数字等を解答者に記入させてもよい。ただし、ＩＤ場号を学籍番号等とした場合には、閲覧の際には他人の閲覧ができないように別途パスワード等を決めておくことが好ましい。
【００３４】
この状態から、次に問題文（図表等を含む）を作成し、その問題文を設問単位等で自由に配置し、図２に示した解答用紙３０の作成が行われる。
【００３５】
作成された解答用紙３０は図示を略する印刷機により印刷される。また、ファイルホルダ２には、図５（Ａ），（Ｂ）に示すように、各欄３１，３２，３３への記入内容が対応設定され、基本的にこの記入内容が項目名として決定される。さらに、各欄３１，３２，３３には、図６（Ａ），（Ｂ）及び図７（Ａ），（Ｂ）に示すように、正解や配点が設定され、これら各設定情報が登録される（図１３参照）。
【００３６】
試験が行われると、各欄３１，３２には、必要事項の記入がなされ、解答記入欄３３には解答が記入される。
【００３７】
その記入内容は、図８（Ａ），（Ｂ）に示すように、採点後にイメージスキャナ１４により読み取る場合のほか、図９（Ａ），（Ｂ）に示すように、採点前の解答用紙３０をイメージスキャナ１４で読み取った後に、図１０（Ａ），（Ｂ）に示すように、パーソナルコンピュータ１３を利用して採点を行ってもよい。
【００３８】
採点が終了すると、その採点結果、例えば、採点の○×△等が識別・判定される。この際、各解答用紙３０を手書きにて直接採点した後にイメージスキャナ１４で解答用紙３０を読み取る場合には、採点の○×△等を赤鉛筆等で行うことによりその色から○×△の形状を識別・判定する。また、採点前にイメージスキャナ１４により解答用紙３０を読み取った場合には、パーソナルコンピュータ１３の表示画面上で添削され、その添削結果としての○△×マークが解答用紙（答案画像）３０に重畳されると共に、採点の○×△等が識別・判定される。ここで、パーソナルコンピュータ１３の表示画面上で添削した場合の○△×等は、添削方法としてマウスやペン等を用いて各解答欄に手書き状に○△×マークを付した場合にはその形状から、添削方法としてキーボードの所定キーに対応して○△×マークを付した場合にはそのキー操作から、添削方法としてキーボードの数字キーで採点を直接入力した場合にはその数字キー操作から、ことにより識別を行う。
【００３９】
尚、図１４に示すように、採点前にイメージスキャナ１４により解答用紙３０を読み取った場合には、解答記入欄３３に記入された文字等を解答情報として文字識別ソフトを利用して自動的に文字識別を行って○×△等を付与してもよい。
【００４０】
採点の○×△等が識別・判定されると、図１１（Ａ），（Ｂ）に示すように、配点がなされる。
【００４１】
ところで、上述した解答用紙作成支援ソフトは、図１２に示すように、解答用紙作成支援サーバ３（パーソナルコンピュータ１３でもよい）にインストールされており、パーソナルコンピュータ１３に付随のディスプレイ等の表示部やマウス（或いはペン）を使用して解答用紙作成者（業者）や出題者等のクライアントにより作成され、そのイメージファイル（例えば、ＰＤＦ）がイメージファイルデータベース４（又はファイルホルダ２）に格納され、印刷機５によりプリントアウトされる。
【００４２】
この際、ファイルホルダ２には、図１３に示すように、各欄３１，３２，３３の枠や識別記号３４の欄に相当する枠情報（色情報を含む）、項目名、正解、配点といった各情報が格納される。
【００４３】
また、上述したシール等を用いて解答用紙３０を作成した場合には、図１５に示すように、上述したデータは、各ルーチン毎にイメージスキャナ１４でスキャンし、レイアウト並びに文字認識等を行って登録することも可能である。
【００４４】
一方、手動若しくは自動で採点された後の各解答用紙３０毎の配点結果は、図１６（Ａ），（Ｂ），（Ｃ）に示すように、採点情報と配点情報とに基づいて総合得点が算出され、その総合得点がファイルホルダ２に格納される。
【００４５】
したがって、解答者は、図１７に示すように、パーソナルコンピュータ２３を用い、ＩＤ番号を入力することにより自身の解答用紙３０が採点済の状態でウェブ閲覧することができる。この際、総合得点は別途データとして表示してもよい。また、不正解であった設問に対する正解は、例えば、その不正解であった解答記入欄３３の枠内にポインタを位置させることによりマウスクリックの手動若しくは自動で正解を表示したり、別途正解付き解答用紙３０を表示したりすることも可能である。
【００４６】
また、本願の採点支援システムは、解答用紙の画像データを電子メールに添付ファイルとしたり、ファクシミリで送付したりするのとは異なるため、例えば、添付ファイルを開いて解答用紙画像を閲覧することができるパーソナルコンピュータを個人所有していない者や、近年の携帯電話の普及に伴って地方からアパート等で生活をしているために一般電話回線（ファクシミリ）を所有していない者であっても、学内設置のパーソナルコンピュータやネットカフェ等に設置のパーソナルコンピュータを利用すれば解答用紙３０及び正解付き解答用紙３０の閲覧が可能となるため、パーソナルコンピュータを個人所有したり、プロバイダ契約をして有料メールアドレスを取得する必要も無い。
従って、例え遠隔地や休講期間中で担当教員等との面接等ができない場合であっても、採点済みの解答用紙３０や正解付き解答用紙３０を閲覧することができる。
【図面の簡単な説明】
【００４７】
【図１】本発明の採点支援システムを示し、採点支援システムのブロック図である。
【図２】本発明の採点支援システムを示し、採点支援システムで作成された解答用紙の正面図である。
【図３】本発明の採点支援システムを示し、（Ａ）は採点支援システムで作成される前の解答用紙の正面図、（Ｂ）はそのデータベースの説明図である。
【図４】本発明の採点支援システムを示し、（Ａ）は採点支援システムで作成される前の解答用紙の正面図、（Ｂ）はそのデータベースの説明図である。
【図５】本発明の採点支援システムを示し、（Ａ）は採点支援システムで作成される前の解答用紙の正面図、（Ｂ）はそのデータベースの説明図である。
【図６】本発明の採点支援システムを示し、採点支援システムのブロック図採点支援システムのブロック図である。
【図７】本発明の採点支援システムを示し、（Ａ）は採点支援システムで作成される前の解答用紙の正面図、（Ｂ）はそのデータベースの説明図である。
【図８】本発明の採点支援システムを示し、（Ａ）は採点支援システムで作成された解答後の解答用紙の正面図、（Ｂ）はそのデータベースの説明図で採点支援システムのブロック図採点支援システムのブロック図である。
【図９】本発明の採点支援システムを示し、（Ａ）は採点支援システムで作成された解答後の解答用紙の正面図、（Ｂ）はそのデータベースの説明図である。
【図１０】本発明の採点支援システムを示し、（Ａ）は採点支援システムで作成された採点後の解答用紙の正面図、（Ｂ）はそのデータベースの説明図である。
【図１１】本発明の採点支援システムを示し、（Ａ）は採点支援システムで作成された解答後の他の解答用紙の正面図、（Ｂ）はそのデータベースの説明図である。
【図１２】本発明の採点支援システムを示し、解答用紙作成支援システムのブロック図である。
【図１３】本発明の採点支援システムを示し、データ登録のブロック図である。
【図１４】本発明の採点支援システムを示し、電子ファイリング採点支援システムのブロック図である。
【図１５】本発明の採点支援システムを示し、他のデータ登録の採点支援システムのブロック図である。
【図１６】本発明の採点支援システムを示し、（Ａ）は解答から採点に至る手動の採点方式のブロック図、（Ｂ）は解答から採点に至る自動の採点方式のブロック図、（Ｃ）は総合得点算出のブロック図である。
【図１７】本発明の採点支援システムを示し、閲覧システムのブロック図である。
【符号の説明】
【００４８】
１…採点支援システム
２…ファイルホルダ
３…解答用紙作成支援サーバ（採点処理部・解答用紙作成端末）
１３…パーソナルコンピュータ（採点処理部）
１４…イメージスキャナ（スキャナ）
２３…パーソナルコンピュータ（端末機）
３０…解答用紙
【図１】
2006106182.tif 000003
【図２】
2006106182.tif 000004
【図３】
2006106182.tif 000005
【図４】
2006106182.tif 000006
【図５】
2006106182.tif 000007
【図６】
2006106182.tif 000008
【図７】
2006106182.tif 000009
【図８】
2006106182.tif 000010
【図９】
2006106182.tif 000011
【図１０】
2006106182.tif 000012
【図１１】
2006106182.tif 000013
【図１２】
2006106182.tif 000014
【図１３】
2006106182.tif 000015
【図１４】
2006106182.tif 000016
【図１５】
2006106182.tif 000017
【図１６】
2006106182.tif 000018
【図１７】
2006106182.tif 000019